【事件の表示】
　特願２０１６−　６６３８７「電子機器、文字入力制御方法、及び文字入力プログラム」拒絶査定不服審判事件〔平成２９年１０月　５日出願公開、特開２０１７−１８３９２３〕について、次のとおり審決する。
【結　論】
　本件審判の請求は、成り立たない。
【理　由】
第１　手続きの経緯
　本願は、平成２８年３月２９日を出願日とする出願であって、その手続の経緯は以下のとおりである。
　令和元年　５月３０日付け：拒絶理由通知書
　令和元年　８月　２日　　：意見書、手続補正書の提出
　令和元年　８月１４日付け：拒絶査定（原査定）
　令和元年１１月２０日　　：審判請求書、手続補正書の提出
第２　令和元年１１月２０日にされた手続補正についての補正却下の決定
［補正却下の決定の結論］
　令和元年１１月２０日にされた手続補正（以下、「本件補正」という。）を却下する。
［理由］
１　本件補正について（補正の内容）
（１）本件補正後の特許請求の範囲の記載
　本件補正により、特許請求の範囲の請求項１の記載は、次のとおり補正された。（下線部は補正箇所である。）
「【請求項１】
　複数の第１キーが対応付けられた第１キー領域と複数の第２キーが対応付けられた第２キー領域とを含むタッチスクリーンと、
　前記タッチスクリーンの前記第１キー領域と前記第２キー領域で検出したキーに対する操作に基づいて文字入力処理を実行するコントローラと、
　
前記タッチスクリーンに積層され、前記第１キー領域と重なる領域に前記第１キーを表示し、前記第２キー領域と重なる領域に前記第２キーを表示するディスプレイと、
を備え、
　前記第１キー領域は、前記タッチスクリーンの第１の縁に沿った領域であり、
　複数の前記第１キーは、前記第１の縁に指を沿わせて動かすときの位置に並び、
　前記第２キー領域は、前記タッチスクリーンの前記第１の縁とは異なる第２の縁に沿った領域であり、
　複数の前記第２キーは、前記第２の縁に指を沿わせて動かすときの位置に並
び、
　
前記第１キーは、少なくとも１つの第２キーが紐付けられており、
　
前記コントローラは、前記第１キーへの接触を検知すると、前記第１キー領域に前記第１キーを表示させた状態で、接触を検知した前記第１キーに対応付けられた前記第２キーのそれぞれに紐付けられた少なくとも１つの文字を前記第２キー領域に表示させる
（２）本件補正前の特許請求の範囲
　本件補正前の、令和元年８月２日にされた手続補正により補正された特許請求の範囲の請求項１の記載は次のとおりである。
「【請求項１】
　複数の第１キーが対応付けられた第１キー領域と複数の第２キーが対応付けられた第２キー領域とを含むタッチスクリーンと、
　前記タッチスクリーンの前記第１キー領域と前記第２キー領域で検出したキーに対する操作に基づいて文字入力処理を実行するコントローラと、
を備え、
　前記第１キー領域は、前記タッチスクリーンの第１の縁に沿った領域であり、
　複数の前記第１キーは、前記第１の縁に指を沿わせて動かすときの位置に並び、
　前記第２キー領域は、前記タッチスクリーンの前記第１の縁とは異なる第２の縁に沿った領域であり、
　複数の前記第２キーは、前記第２の縁に指を沿わせて動かすときの位置に並ぶ電子機器。」
２　補正の適否
　本件補正の上記補正事項は、本件補正前の請求項１に記載された発明を特定するために必要な事項である「複数の第１キーが対応付けられた第１キー領域と複数の第２キーが対応付けられた第２キー領域とを含むタッチスクリーン」について、「前記第１キー領域と重なる領域に前記第１キーを表示し、前記第２キー領域と重なる領域に前記第２キーを表示するディスプレイ」が「積層され」ている構成であることを限定し、「複数の第１キー」について、「前記第１キーは、少なくとも１つの第２キーが紐付けられており」と限定し、「前記タッチスクリーンの前記第１キー領域と前記第２キー領域で検出したキーに対する操作に基づいて文字入力処理を実行するコントローラ」について「前記コントローラは、前記第１キーへの接触を検知すると、前記第１キー領域に前記第１キーを表示させた状態で、接触を検知した前記第１キーに対応付けられた前記第２キーのそれぞれに紐付けられた少なくとも１つの文字を前記第２キー領域に表示させる」と限定するものであって、補正前の請求項１に記載された発明と補正後の請求項１に記載される発明の産業上の利用分野及び解決しようとする課題が同一であるから、特許法第１７条の２第５項第２号に規定する特許請求の範囲の減縮を目的とするものに該当する。
　また、特許法第１７条の２第３項、第４項に違反するところはない。
　そこで、本件補正後の請求項１に記載される発明（以下、「本件補正発明」という。）が、特許法第１７条の２第６項において準用する同法第１２６条第７項の規定に適合するか（特許出願の際独立して特許を受けることができるものであるか）について、以下、検討する。
（１）本件補正発明
　本件補正発明は、上記１（１）に記載したとおりのものである。
（２）引用文献の記載事項など
ア　引用文献１、引用発明について
（ア）原査定の拒絶の理由で引用された引用文献である、特開２００６−１４８５３６号公報（以下、「引用文献１」という。）には、図面とともに、次の記載がある。（下線は当審で付与した。以下同様。）
「【００４１】
　図１は、本発明を適用した携帯情報端末１の外観の例を示す斜視図である。
【００４２】
　図１に示すように、
携帯情報端末１の面１Ａには、
タッチパネル式ディスプレイ１１が設けられ、
【００４３】
　
携帯情報端末１の筐体はユーザが両手で把持可能な大きさのものとされ
ユーザは、面１Ａを正面として、側面１Ｂを左手で、側面１Ｃ（側面１Ｂと平行な面）を右手でそれぞれ包むように把持し、
ユーザは、タッチパネル式ディスプレイ１１を親指で直接押したり（タップしたり）、用意されているスライラスの先端で押すなどして各種の操作を行う
【００４４】
　
例えば、ユーザは、タッチパネル式ディスプレイ１１に表示される、所定の文字が割り当てられたキーを左右の親指で操作することによって、電子メールとして送る文章を入力したり、検索するコンテンツのタイトルを入力したりすることができ
【００４５】
　図２に、ユーザにより両手で把持されている状態の携帯情報端末１を示す。
【００４６】
　ユーザは、携帯情報端末１の筐体を図２に示すように両手で把持したまま、左右の親指で、タッチパネル式ディスプレイ１１の周囲に設けられているボタンを押したり、親指の届く、タッチパネル式ディスプレイ１１の縁付近に表示されているボタンを直接押したりすることができる。
【００４７】
　ここで、携帯情報端末１を用いた日本語の文字入力について説明する。
【００４８】
　図３は、
タッチパネル式ディスプレイ１１に表示される、
【００４９】
　図３に示すように、例えば、
初期状態の画面には、タッチパネル式ディスプレイ１１の縁１１Ａに沿ってキー２１−１乃至２１−５の５つのキーが配列して表示され、縁１１Ａに対向する縁１１Ｂに沿って、キー２１−６乃至２１−１０の５つのキーが配列して表示され
これらのキー２１−１乃至２１−１０は、
ユーザが、筐体を両手で把持したときに、その親指が届く位置に表示され
【００５０】
　図３においては省略されているが、タッチパネル式ディスプレイ１１には、写真や映画の画像、そのとき起動しているメーラなどの各種のアプリケーションの画面の画像などの各種の画像が、図３の向きに沿って（図３の上方に画像の上の部分、下方に画像の下の部分がくるように）表示される。すなわち、
タッチパネル式ディスプレイ１１に表示される画像の向きを基準として、縁１１Ａは左側の縁であり、縁１１Ｂは右側の縁である
【００５１】
　
キー２１−１乃至２１−１０のキートップには、５０音の各行の第一音の文字である「あ」、「か」、「さ」、「た」、「な」、「は」、「ま」、「や」、「ら」、「わ」がそれぞれ表示されて
【００５２】
　
すなわち、
キー２１−１には「あ」行の文字が割り当てられ、キー２１−２には「か」行の文字が割り当てられ
また、キー２１−３には「さ」行の文字が割り当てられ、キー２１−４には「た」行の文字が割り当てられ、キー２１−５には「な」行の文字が割り当てられ
同様に、キー２１−６には「は」行の文字が割り当てられ、キー２１−７には「ま」行の文字が割り当てられ
また、キー２１−８には「や」行の文字が割り当てられ、キー２１−９には「ら」行の文字が割り当てられ、キー２１−１０には「わ」行の文字が割り当てられ
キーに割り当てられる文字には、各行の清音の文字の他、濁音の文字、半濁音の文字、文章の作成に用いられる符号類が含まれ
【００５３】
　
例えば、キー２１−１を押したとき、キー２１−６乃至２１−１０に「あ」行の文字である「あ」、「い」、「う」、「え」、「お」が割り当てられるように、１つのキーを押したとき、それぞれのキーに割り当てられる文字が切り替わるから（キートップの表示が切り替わるから）、ユーザは、左右の親指を使ってキー２１−１乃至２１−５のいずれかとキー２１−６乃至２１−１０のいずれかを交互に押すなどして複数のキー操作を組合せ、１つの文字を入力することができる
【００５４】
　
ユーザにより入力された文字は、
タッチパネル式ディスプレイ１１の上方
に形成される文字表示領域２４に表示される
【００５５】
　このように、文字入力のために表示されるキーがタッチパネル式ディスプレイ１１の縁に沿って配列して表示されるため、例えば、タッチパネル式ディスプレイ１１に写真や映画の画像などが表示されている場合でも、キーの表示がそれらの表示の妨げになることが少ない。
【００５６】
　図３や図４に示すように、各キーがタッチパネル式ディスプレイ１１の縁に沿って配列して表示されるのではなく、例えば、５０音の各文字が１対１に割り当てられたキーが全て表示されるとした場合、その表示がタッチパネル式ディスプレイ１１の表示領域の広い範囲を占めてしまい、写真や映画の画像を見ながら文字を入力することが困難になるが、そのようなことを最小限に抑えることができる。
【００５７】
　また、それぞれのキーがユーザの親指の届く範囲に表示されることから、携帯情報端末１の筐体を両手で把持したまま、効率的に文字を入力することができる。親指の届かない、タッチパネル式ディスプレイ１１の中央付近にまでキーが表示されるものとすると、そのキーを押すためには、ユーザは、一度、筐体を片手に持ち替え、空いた方の手の指でそれを押すなどの動作が必要になるが、そのような動作を行うことなく、文字を入力することができる。
【００５８】
　さらに、タッチパネル式ディスプレイ１１の縁に沿って一次元的に並んでキーが表示されるため、ユーザの指の動きは上下方向（図３の上下方向）の動きだけとなり、例えば、タッチパネル式ディスプレイ１１の縁付近より内側にもキーが表示され、上下方向だけでなく、左右方向にも指を動かす必要がある場合に較べて指の移動距離が少なくて済む。このことも、効率的な文字の入力を可能なものとしている。
　・・・中略・・・
【００６２】
　次に、ユーザ操作に応じて切り替えられる文字の割り当てについて説明する。
【００６３】
　例えば、キー２１−１乃至２１−１０に５０音の各行の文字が割り当てられている状態で、図５の斜線で示すように、
ユーザがキー２１−２を左手の親指で押したとき（「か」行を選択したとき）、
キー２１−１乃至２１−５には、「が」、「ぎ」、「ぐ」、「げ」、「ご」の文字が割り当てられ
また、キー２１−６乃至２１−１０には、「か」、「き」、「く」、「け」、「こ」の文字がそれぞれ割り当てられ
【００６４】
　ユーザは、「か」行の文字を選択する左手の親指の操作に続けて、左手の親指でキー２１−１乃至２１−５のいずれかを押すことによって、「が」行の１つの文字を入力することができる。同様に、
ユーザは、「か」行の文字を選択する左手の親指の操作に続けて、右手の親指でキー２１−６乃至２１−１０のいずれかを押すことによって、「か」行の１つの文字を入力することができ
【００６５】
　
例えば、
ユーザがキー２１−１０を右手の親指で押したとき（「こ」の文字を選択したとき）、
文字表示領域２４には、ユーザが選択した「こ」の文字が入力され
【００６６】
　
また、このようにして１つの文字が入力されたとき、
キー２１−１乃至２１−１０には５０音の各行の文字が割り当てられた状態になる（文字の割り当ては初期状態に戻る）
【００６７】
　
さらに、
ユーザがキー２１−１０を右手の親指で押したとき（「わ」行を選択したとき）、
キー２１−１乃至２１−５には、「わ」、「を」、「ん」、「ゎ」、「　（スペース）」がそれぞれ割り当てられ
キー２１−６乃至２１−１０には、「、」、「。」、「−」、「・」、「！」がそれぞれ割り当てられ
【００６８】
　
例えば、
ユーザがキー２１−３を左手の親指で押したとき（「ん」の文字を選択したとき）、
文字表示領域２４には、先に入力した「こ」の文字に続けて、ユーザがいま選択した「ん」の文字が入力され
このとき、「こ」の文字を入力した直後の
状態と同様に、キー２１−１乃至２１−１０には各行の文字が割り当てられた状態になる
【００６９】
　
同様にして、ユーザは、
キー２１−５を左手の親指で押して「な」行を選択したとき、キー２１−６乃至２１−１０には「な」行の文字（「な」、「に」、「ぬ」、「ね」、「の」）がそれぞれ割り当てられるから、そのキー２１−６乃至２１−１０の中からキー２１−７を右手の親指で押すことによって「に」の文字を入力することができ
【００７０】
　
また、ユーザは、「に」の文字に続けて、キー２１−４を左手の親指で押して「た」行を選択したとき、キー２１−６乃至２１−１０には「た」行の文字（「た」、「ち」、「つ」、「て」、「と」）がそれぞれ割り当てられるから、そのキー２１−６乃至２１−１０の中からキー２１−７を右手の親指で押すことによって「ち」の文字を入力することができ
【００７１】
　
さらに、ユーザは、「ち」の文字に続けて、キー２１−６を右手の親指で押して「は」行を選択したとき、キー２１−１乃至２１−５には「は」行の文字（「は」、「ひ」、「ふ」、「へ」、「ほ」）がそれぞれ割り当てられるから、そのキー２１−１乃至２１−６の中からキー２１−１を左手の親指で押すことによって「は」の文字を入力することができ
【００７２】
　
以上の一連の操作により、ユーザは、
「こんにちは」の文字を入力することができ
【００７３】
　なお、領域２３には、入力した文字を削除する機能の他、１つ前の画面に戻る機能も割り当てられている。例えば、ユーザにより「か」行が選択されたときに表示される図６の状態で領域２３が押された場合、タッチパネル式ディスプレイ１１の表示は図５の状態に戻る。
【００７４】
　このように、ユーザは、携帯情報端末１の文字入力の方式がマルチストローク方式である場合、複数のキーを組み合わせて、１つの文字を入力することができる。入力する文字が濁音の文字や符号などではない場合、左手の親指で「か」行を選択し、続けて右手の親指で「こ」の文字を選択したり、或いは、右手の親指で「わ」行を選択し、続けて左手の親指で「ん」の文字を選択したりするように、ユーザは、左右の親指を交互に動かすことによって文字を入力することができる。
【００７５】
　指の動きは上下方向の動きだけであるから、あるキーを押したときに、それぞれのキーにどの文字が割り当てられるのかを覚えておくことによって、ユーザは、連続的に、かつ直感的に文字を入力することができる。」
　・・・中略・・・
【００８０】
　入出力インタフェース５５には、
LCD(Liquid Crystal Display)などよりなる表示部７１にタッチパネル７２が重畳して構成されるタッチパネル式ディスプレイ１１
　・・・中略・・・
【００８２】
　図１４は、
携帯情報端末１の
機能部は、
CPU５１により所定のプログラムが実行されることによって実現され
【００８３】
　
キー表示制御部８１は、タッチパネル７２から供給されてくるデータ（ユーザにより押されたタッチパネル式ディスプレイ１１上の位置を表すデータ）に基づいて表示部７１に表示されるキーの表示を制御する
【００８４】
　
文字入力受付部８２は、タッチパネル７２から供給されてくるデータに基づいて、ユーザにより入力された文字を受け付け、それを表示部７１の文字表示領域２４に表示させ
また、文字入力受付部８２は、ユーザにより入力された文字を表すデータを、メーラや、ファイルの検索を行うアプリケーションなどの、ユーザにより入力された文字に基づいて処理を行う各種のアプリケーションに出力する
「【図２】
」
「【図３】
」
「【図４】
」
「【図５】
」
「【図６】
」
「【図７】
」
「【図８】
」
「【図９】
」
「【図１０】
」
「【図１１】
」
「【図１２】
」
「【図１４】
」
（イ）上記記載からみて、引用文献１には、次の発明（以下、「引用発明」という。）が記載されていると認められる。
「携帯情報端末１の面１Ａには、LCD(Liquid Crystal Display)などよりなる表示部７１にタッチパネル７２が重畳して構成される、タッチパネル式ディスプレイ１１が設けられ、（【００４２】、【００８０】）
　携帯情報端末１の機能部は、CPU５１により所定のプログラムが実行されることによって実現され、（【００８２】、【図１４】）
　　キー表示制御部８１は、タッチパネル７２から供給されてくるデータ（ユーザにより押されたタッチパネル式ディスプレイ１１上の位置を表すデータ）に基づいて表示部７１に表示されるキーの表示を制御し、（【００８３】）
　　文字入力受付部８２は、タッチパネル７２から供給されてくるデータに基づいて、ユーザにより入力された文字を受け付け、それを表示部７１の文字表示領域２４に表示させ、また、文字入力受付部８２は、ユーザにより入力された文字を表すデータを、メーラや、ファイルの検索を行うアプリケーションなどの、ユーザにより入力された文字に基づいて処理を行う各種のアプリケーションに出力し、（【００８４】）
　携帯情報端末１の筐体はユーザが両手で把持可能な大きさのものとされ、ユーザは、面１Ａを正面として、側面１Ｂを左手で、側面１Ｃ（側面１Ｂと平行な面）を右手でそれぞれ包むように把持し、ユーザは、タッチパネル式ディスプレイ１１を親指で直接押したり（タップしたり）、用意されているスライラスの先端で押すなどして各種の操作を行い、（【００４３】）
　例えば、ユーザは、タッチパネル式ディスプレイ１１に表示される、所定の文字が割り当てられたキーを左右の親指で操作することによって、電子メールとして送る文章を入力したり、検索するコンテンツのタイトルを入力したりすることができ、（【００４４】）
　タッチパネル式ディスプレイ１１に表示される、初期状態の画面には、タッチパネル式ディスプレイ１１の縁１１Ａに沿ってキー２１−１乃至２１−５の５つのキーが配列して表示され、縁１１Ａに対向する縁１１Ｂに沿って、キー２１−６乃至２１−１０の５つのキーが配列して表示され、これらのキー２１−１乃至２１−１０は、ユーザが、筐体を両手で把持したときに、その親指が届く位置に表示され、（【００４８】〜【００４９】）
　タッチパネル式ディスプレイ１１に表示される画像の向きを基準として、縁１１Ａは左側の縁であり、縁１１Ｂは右側の縁であり、（【００５０】）
　キー２１−１乃至２１−１０のキートップには、５０音の各行の第一音の文字である「あ」、「か」、「さ」、「た」、「な」、「は」、「ま」、「や」、「ら」、「わ」がそれぞれ表示され、（【００５１】、【図３】）
　　キー２１−１には「あ」行の文字が割り当てられ、キー２１−２には「か」行の文字が割り当てられ、キー２１−３には「さ」行の文字が割り当てられ、キー２１−４には「た」行の文字が割り当てられ、キー２１−５には「な」行の文字が割り当てられ、キー２１−６には「は」行の文字が割り当てられ、キー２１−７には「ま」行の文字が割り当てられ、キー２１−８には「や」行の文字が割り当てられ、キー２１−９には「ら」行の文字が割り当てられ、キー２１−１０には「わ」行の文字が割り当てられており、キーに割り当てられる文字には、各行の清音の文字の他、濁音の文字、半濁音の文字、文章の作成に用いられる符号類が含まれ、（【００５２】）
　例えば、キー２１−１を押したとき、キー２１−６乃至２１−１０に「あ」行の文字である「あ」、「い」、「う」、「え」、「お」が割り当てられるように、１つのキーを押したとき、それぞれのキーに割り当てられる文字が切り替わるから（キートップの表示が切り替わるから）、ユーザは、左右の親指を使ってキー２１−１乃至２１−５のいずれかとキー２１−６乃至２１−１０のいずれかを交互に押すなどして複数のキー操作を組合せ、１つの文字を入力することができ、（【００５３】）
　ユーザにより入力された文字は、タッチパネル式ディスプレイ１１の上方に形成される文字表示領域２４に表示される、（【００５４】、【図４】）
携帯情報端末１であって、
　ユーザがキー２１−２を左手の親指で押したとき（「か」行を選択したとき）、（【００６３】、【図５】）
　　キー２１−１乃至２１−５には、「が」、「ぎ」、「ぐ」、「げ」、「ご」の文字が割り当てられ、キー２１−６乃至２１−１０には、「か」、「き」、「く」、「け」、「こ」の文字がそれぞれ割り当てられ、（【００６３】、【図６】）
　　ユーザは、「か」行の文字を選択する左手の親指の操作に続けて、右手の親指でキー２１−６乃至２１−１０のいずれかを押すことによって、「か」行の１つの文字を入力することができ、（【００６４】）
　　例えば、ユーザがキー２１−１０を右手の親指で押したとき（「こ」の文字を選択したとき）、（【００６５】、【図７】）
　　文字表示領域２４には、ユーザが選択した「こ」の文字が入力され、（【００６５】、【図８】）
　　また、このようにして１つの文字が入力されたとき、キー２１−１乃至２１−１０には５０音の各行の文字が割り当てられた状態になり（文字の割り当ては初期状態に戻る）、（【００６６】、【図８】）
　さらに、ユーザがキー２１−１０を右手の親指で押したとき（「わ」行を選択したとき）、（【００６７】、【図９】）
　　キー２１−１乃至２１−５には、「わ」、「を」、「ん」、「ゎ」、「（スペース）」がそれぞれ割り当てられ、キー２１−６乃至２１−１０には、「、」、「。」、「−」、「・」、「！」がそれぞれ割り当てられ、（【００６７】、【図１０】）
　　例えば、ユーザがキー２１−３を左手の親指で押したとき（「ん」の文字を選択したとき）、（【００６８】、【図１１】）
　　文字表示領域２４には、先に入力した「こ」の文字に続けて、選択した「ん」の文字が入力され、このとき、「こ」の文字を入力した直後の状態と同様に、キー２１−１乃至２１−１０には各行の文字が割り当てられた状態になり、（【００６８】、【図１２】）
　同様にして、ユーザは、キー２１−５を左手の親指で押して「な」行を選択したとき、キー２１−６乃至２１−１０には「な」行の文字（「な」、「に」、「ぬ」、「ね」、「の」）がそれぞれ割り当てられるから、そのキー２１−６乃至２１−１０の中からキー２１−７を右手の親指で押すことによって「に」の文字を入力することができ、（【００６９】）
　また、ユーザは、「に」の文字に続けて、キー２１−４を左手の親指で押して「た」行を選択したとき、キー２１−６乃至２１−１０には「た」行の文字（「た」、「ち」、「つ」、「て」、「と」）がそれぞれ割り当てられるから、そのキー２１−６乃至２１−１０の中からキー２１−７を右手の親指で押すことによって「ち」の文字を入力することができ、（【００７０】）
　さらに、ユーザは、「ち」の文字に続けて、キー２１−６を右手の親指で押して「は」行を選択したとき、キー２１−１乃至２１−５には「は」行の文字（「は」、「ひ」、「ふ」、「へ」、「ほ」）がそれぞれ割り当てられるから、そのキー２１−１乃至２１−６の中からキー２１−１を左手の親指で押すことによって「は」の文字を入力することができ、（【００７１】）
　以上の一連の操作により、ユーザは、「こんにちは」の文字を入力することができる、（【００７２】）
携帯情報端末１。」
イ　周知技術について
（ア）特開２００９−９９０６７号公報（以下、「文献２」という。）には、図１４とともに、次の記載がある。
「【００４５】
　図１４は、この
親子関係となる選択ボタンを利用した文字入力画面
５０音について「行」を親とし当該行に含まれる「語」を子としてて階層化しボタン表示を行う
親ボタンとして左のタッチセンサに沿って「あ行」ボタン、「か行」ボタン、・・・、「文字種」ボタン、「変換」ボタンなどが表示され
例えば「は行」ボタンが選択されると、今度は右のタッチセンサに沿っては行の文字である「は」、「ひ」、「ふ」、「へ」、「ほ」、「゛」、「゜」といったボタンが表示され、右側のタッチセンサで選択した文字が入力される
「【図１４】
」
　上記【図１４】のａ）を参照すると、左のタッチセンサに沿った左側の表示領域に、「あ行」ボタン、「か行」ボタン、・・・、「文字種」ボタン、「変換」ボタンなどが表示され、「は行」ボタンが選択されて、右のタッチセンサに沿った右側の表示領域に、は行の文字である「は」、「ひ」、「ふ」、「へ」、「ほ」、「゛」、「゜」といったボタンが表示された文字入力画面において、左のタッチセンサに沿った左側の表示領域に、「あ行」ボタン、「か行」ボタン、・・・、「文字種」ボタン、「変換」ボタンなどが表示された状態であることが、図示されていると認められる。
　そうしてみると、文献２には、以下の技術的事項が記載されているといえる。
「親子関係となる選択ボタンを利用した文字入力画面であって、
　５０音について「行」を親とし当該行に含まれる「語」を子としてて階層化しボタン表示を行うことを特徴とし、
　親ボタンとして左のタッチセンサに沿った左側の表示領域に、「あ行」ボタン、「か行」ボタン・・・、「文字種」ボタン、「変換」ボタンなどが表示され、
　例えば「は行」ボタンが選択されると、「あ行」ボタン、「か行」ボタン・・・、「は行」ボタンなどが左側の表示領域に表示された状態で、右のタッチセンサに沿った右側の表示領域に、「は行」の文字である「は」、「ひ」、「ふ」、「へ」、「ほ」といったボタンが表示され、
　右側のタッチセンサで選択した文字が入力される、文字入力画面。」
（イ）特開２００６−３３４２５号公報（以下、「文献３」という。）には、図とともに、次の記載がある。
「【０００４】
　本発明は上記課題を解決するためになされたものであり、
仮名入力方法において、ディスプレイに仮名の各行あ段の上位タッチキー群を表示し、この上位タッチキー群からタッチ操作により１つの上位タッチキーを選択したときに、上記ディスプレイに、選択された行の仮名の下位タッチキー群を表示し、この下位タッチキー群からタッチ操作により１つの下位タッチキーを選択したときに、この下位タッチキーが表示していた仮名を入力する
　また、仮名入力装置において、ディスプレイと、制御手段とを備え、この制御手段は、ディスプレイに仮名の各行あ段の上位タッチキー群を表示し、上位タッチキー群からタッチ操作により１つの上位タッチキーが選択されたときに、上記ディスプレイに、選択された上位タッチキーが表示していた行の仮名の下位タッチキー群を表示し、この下位タッチキー群からタッチ操作で１つの下位タッチキーが選択されたときに、この下位タッチキーが表示していた文字を入力することを特徴とする。
【０００５】
　上記方法および装置では、仮名を表示したタッチキーのタッチ操作により仮名を入力できるので、熟練を要さない。また、ディスプレイに仮名５０音をそのまま表示せずに済み、表示するタッチキー数が少ないので、比較的大きなタッチキーとすることができ、見易くなる。さらに、基本的に２回のタッチ操作で仮名を入力できるので、操作も簡単である。
【０００６】
　好ましくは、
上記ディスプレイは、互いに区分けされた第１，第２の領域を有し、第１領域には上位タッチキー群を表示し、第２領域には選択された行の下位タッチキー群を表示する
【０００７】
　好ましくは、あ行，か行，さ行，た行，な行，は行，ま行，ら行が選択された場合には、ディスプレイにあ段，い段，う段，え段，お段の５つの下位タッチキーを左右に一列をなしてこの順に表示し、か行，さ行，た行，は行が選択された場合には、さらにその下に濁音の５つの下位タッチキーを一列をなして表示し、は行が選択された場合には、さらに濁音の下位タッチキーの下に半濁音の５つの下位タッチキーを一列をなして表示する。これによれば、濁音，半濁音の仮名でも、２回のタッチ操作で入力することができる。また、濁音，半濁音の仮名のタッチキーが清音の仮名のタッチキー下にそれぞれ一列をなして表示されているので、タッチキーを判別し易く、操作性が良い。」
「【図４】
」
「【図８】
」
「【図９】
」
　上記【図４】、【図８】、【図９】を参照すると、ディスプレイの左側領域である第１領域（23x）に上位タッチキー群を表示させた状態で、ディスプレイの右側領域である第２領域（23y）に選択された行の下位タッチキー群を表示することが、図示されていると認められる。
　そうしてみると、文献３には、以下の技術的事項が記載されているといえる。
「ディスプレイに仮名の各行あ段の上位タッチキー群を表示し、この上位タッチキー群からタッチ操作により１つの上位タッチキーを選択したときに、上記ディスプレイに、選択された行の仮名の下位タッチキー群を表示し、この下位タッチキー群からタッチ操作により１つの下位タッチキーを選択したときに、この下位タッチキーが表示していた仮名を入力する仮名入力方法であって、
　上記ディスプレイは、互いに区分けされた第１，第２の領域を有し、ディスプレイの左側領域である第１領域に上位タッチキー群を表示した状態で、ディスプレイの右側領域である第２領域には選択された行の下位タッチキー群を表示する、仮名入力方法。」
（ウ）上記（ア）および（イ）からみて、以下の技術的事項は本願出願日前において周知な技術であったと認められる。
「文字入力画面の左側領域に「あ行」ボタン、「か行」ボタン・・・、「は行」ボタンなどの上位のボタンが列をなして表示されている状態において、例えば、「は行」ボタンが選択された場合に、前記左側領域の「あ行」ボタン、「か行」ボタン・・・、「は行」ボタンなどを表示させた状態で、選択された「は行」ボタンに対応付けられた下位のボタンに紐付けられた「は行」の文字である「は」、「ひ」、「ふ」、「へ」、「ほ」といった文字を文字入力画面の右側領域に列をなして表示させる表示制御手段」
（３）引用発明との対比
　本件補正発明と引用発明とを対比する。
（ア）引用発明の「タッチパネル式ディスプレイ１１」は、「LCD(Liquid Crystal Display)などよりなる表示部７１にタッチパネル７２が重畳して構成される」ことから、引用発明の「表示部７１」は、「タッチパネル７２」に積層されていると認められる。
　そうしてみると、引用発明の「タッチパネル７２」及び「表示部７１」は、それぞれ本件補正発明の「タッチスクリーン」及び「ディスプレイ」に対応し、引用発明の「表示部７１」と本件補正発明の「ディスプレイ」は、「前記タッチスクリーンに積層され」ている点で共通する。
（イ）引用発明において、「タッチパネル式ディスプレイ１１の縁１１Ａに沿ってキー２１−１乃至２１−５の５つのキーが配列して表示され、縁１１Ａに対向する縁１１Ｂに沿って、キー２１−６乃至２１−１０の５つのキーが配列して表示され」ているところ、引用発明の「キー２１−１乃至２１−５の５つのキー」及び「キー２１−６乃至２１−１０の５つのキー」は、それぞれ本件補正発明の「複数の第１キー」及び「複数の第２キー」に対応する。
（ウ）引用発明において、「タッチパネル７２から供給されてくるデータ（ユーザにより押されたタッチパネル式ディスプレイ１１上の位置を表すデータ）に基づいて表示部７１に表示されるキーの表示を制御し」ており、「ユーザは、タッチパネル式ディスプレイ１１を親指で直接押したり（タップしたり）、用意されているスライラスの先端で押すなどして各種の操作を行い」、「タッチパネル式ディスプレイ１１に表示される、所定の文字が割り当てられたキーを左右の親指で操作する」ものであり、例えば、「キー２１−１には「あ」行の文字が割り当てられ」、「キー２１−１を押したとき、キー２１−６乃至２１−１０に「あ」行の文字である「あ」、「い」、「う」、「え」、「お」が割り当てられるように、１つのキーを押したとき、それぞれのキーに割り当てられる文字が切り替わるから（キートップの表示が切り替わるから）、ユーザは、左右の親指を使ってキー２１−１乃至２１−５のいずれかとキー２１−６乃至２１−１０のいずれかを交互に押すなどして複数のキー操作を組合せ、１つの文字を入力することができ」るものである。
　このことからみて、引用発明の「タッチパネル７２」は、「縁１１Ａに沿ってキー２１−１乃至２１−５の５つのキーが配列して表示され」る領域と重なる領域に、「ユーザにより押された位置がキー２１−１乃至２１−５のいずれのキーであるのかを検出する領域」を含むものと認められ、同様に、「縁１１Ａに対向する縁１１Ｂに沿って、キー２１−６乃至２１−１０の５つのキーが配列して表示され」る領域と重なる領域に、「ユーザにより押された位置がキー２１−６乃至２１−１０のいずれのキーであるのかを検出する領域」を含むものと認められる。
　ここで、上記「ユーザにより押された位置がキー２１−１乃至２１−５のいずれのキーであるのかを検出する領域」及び上記「ユーザにより押された位置がキー２１−６乃至２１−１０のいずれのキーであるのかを検出する領域」は、それぞれ「キー２１−１乃至２１−５の５つのキーが対応付けられた領域」及び「キー２１−６乃至２１−１０の５つのキーが対応付けられた領域」といえるから、上記「ユーザにより押された位置がキー２１−１乃至２１−５のいずれのキーであるのかを検出する領域」及び上記「ユーザにより押された位置がキー２１−６乃至２１−１０のいずれのキーであるのかを検出する領域」は、それぞれ本件補正発明の「第１キー領域」及び「第２キー領域」に対応する。
　そうしてみると、引用発明の「タッチパネル７２」と本件補正発明の「タッチスクリーン」は、「複数の第１キーが対応付けられた第１キー領域と複数の第２キーが対応付けられた第２キー領域とを含む」点で共通する。
　また、引用発明の「表示部７１」と本件補正発明の「ディスプレイ」は、「前記タッチスクリーンに積層され、前記第１キー領域と重なる領域に前記第１キーを表示し、前記第２キー領域と重なる領域に前記第２キーを表示する」点で共通する。
（エ）引用発明において、「携帯情報端末１の機能部は、CPU５１により所定のプログラムが実行されることによって実現され」るものであるところ、引用文献１の図１４を参照すると、引用発明の「CPU５１により所定のプログラムが実行されることによって実現され」る「機能部」は、キー表示制御部８１と文字入力受付部８２からなるものと理解できるから、キー表示制御部８１と文字入力受付部８２の機能は、「CPU５１により所定のプログラムが実行されることによって実現され」るものといえる。
　そして、引用発明の「キー表示制御部８１は、タッチパネル７２から供給されてくるデータ（ユーザにより押されたタッチパネル式ディスプレイ１１上の位置を表すデータ）に基づいて表示部７１に表示されるキーの表示を制御し」、「文字入力受付部８２は、タッチパネル７２から供給されてくるデータに基づいて、ユーザにより入力された文字を受け付け、それを表示部７１の文字表示領域２４に表示させ、また、文字入力受付部８２は、ユーザにより入力された文字を表すデータを、メーラや、ファイルの検索を行うアプリケーションなどの、ユーザにより入力された文字に基づいて処理を行う各種のアプリケーションに出力」するものであり、例えば、「キー２１−１には「あ」行の文字が割り当てられ」、「キー２１−１を押したとき、キー２１−６乃至２１−１０に「あ」行の文字である「あ」、「い」、「う」、「え」、「お」が割り当てられるように、１つのキーを押したとき、それぞれのキーに割り当てられる文字が切り替わるから（キートップの表示が切り替わるから）、ユーザは、左右の親指を使ってキー２１−１乃至２１−５のいずれかとキー２１−６乃至２１−１０のいずれかを交互に押すなどして複数のキー操作を組合せ、１つの文字を入力することができ」るものであるから、引用発明のキー表示制御部８１と文字入力受付部８２からなる「機能部」を実現する「CPU５１」は、「タッチパネル７２」の「ユーザにより押された位置がキー２１−１乃至２１−５のいずれのキーであるのかを検出する領域」と「ユーザにより押された位置がキー２１−６乃至２１−１０のいずれのキーであるのかを検出する領域」で検出したキーに対する操作に基づいて文字入力処理を実行するものと認められる。
　そうしてみると、引用発明の「CPU５１」は本件補正発明の「コントローラ」に対応し、両者は「前記タッチスクリーンの前記第１キー領域と前記第２キー領域で検出したキーに対する操作に基づいて文字入力処理を実行する」点で共通する。
（オ）引用発明において、「タッチパネル式ディスプレイ１１の縁１１Ａに沿ってキー２１−１乃至２１−５の５つのキーが配列して表示され、縁１１Ａに対向する縁１１Ｂに沿って、キー２１−６乃至２１−１０の５つのキーが配列して表示され」、「タッチパネル式ディスプレイ１１に表示される画像の向きを基準として、縁１１Ａは左側の縁であり、縁１１Ｂは右側の縁であり」、また、「タッチパネル式ディスプレイ１１」は、「LCD(Liquid Crystal Display)などよりなる表示部７１にタッチパネル７２が重畳して構成される」ことから、「タッチパネル式ディスプレイ１１の縁１１Ａ」（左側の縁）に沿った領域は、「タッチパネル７２の左側の縁に沿った領域」でもある。同様に、「タッチパネル式ディスプレイ１１」の「縁１１Ａに対向する縁１１Ｂ」（右側の縁）に沿った領域は、「タッチパネル７２の前記左側の縁とは異なる右側の縁に沿った領域」でもある。
　ここで、「タッチパネル７２」における上記「ユーザにより押された位置がキー２１−１乃至２１−５のいずれのキーであるのかを検出する領域」は、「縁１１Ａに沿ってキー２１−１乃至２１−５の５つのキーが配列して表示され」る領域と重なる領域であるから、「タッチパネル７２の左側の縁に沿った領域」であり、同様に、上記「ユーザにより押された位置がキー２１−６乃至２１−１０のいずれのキーであるのかを検出する領域」は、「タッチパネル７２の前記左側の縁とは異なる右側の縁に沿った領域」であるといえる。
　そうしてみると、引用発明と本件補正発明において、「前記第１キー領域は、前記タッチスクリーンの第１の縁に沿った領域であり」、「前記第２キー領域は、前記タッチスクリーンの前記第１の縁とは異なる第２の縁に沿った領域である」点で共通する。
（カ）引用発明において、「キー２１−１乃至２１−１０は、ユーザが、筐体を両手で把持したときに、その親指が届く位置に表示され」ることから、引用発明の「キー２１−１乃至２１−５の５つのキー」は、「タッチパネル７２」の左側の縁に親指を沿わせて動かすときの位置に並び、「キー２１−６乃至２１−１０の５つのキー」は、「タッチパネル７２」の右側の縁に親指を沿わせて動かすときの位置に並ぶものと認められる。
　そうしてみると、引用発明と本件補正発明において、「複数の前記第１キーは、前記第１の縁に指を沿わせて動かすときの位置に並び」、「複数の前記第２キーは、前記第２の縁に指を沿わせて動かすときの位置に並ぶ」点で共通する。
（キ）引用発明において、「キー２１−１には「あ」行の文字が割り当てられ、キー２１−２には「か」行の文字が割り当てられ、キー２１−３には「さ」行の文字が割り当てられ、キー２１−４には「た」行の文字が割り当てられ、キー２１−５には「な」行の文字が割り当てられ」、「例えば、キー２１−１を押したとき、キー２１−６乃至２１−１０に「あ」行の文字である「あ」、「い」、「う」、「え」、「お」が割り当てられるように、１つのキーを押したとき、それぞれのキーに割り当てられる文字が切り替わる」ことや、「ユーザがキー２１−２を左手の親指で押したとき（「か」行を選択したとき）、キー２１−１乃至２１−５には、「が」、「ぎ」、「ぐ」、「げ」、「ご」の文字が割り当てられ、キー２１−６乃至２１−１０には、「か」、「き」、「く」、「け」、「こ」の文字がそれぞれ割り当てられ」ること、更に「ユーザは、キー２１−５を左手の親指で押して「な」行を選択したとき、キー２１−６乃至２１−１０には「な」行の文字（「な」、「に」、「ぬ」、「ね」、「の」）がそれぞれ割り当てられる」ことからみて、引用発明の「キー２１−１乃至２１−５の５つのキー」のそれぞれのキーは、「キー２１−６乃至２１−１０の５つのキー」のうち少なくとも１つのキーが「紐付けられて」いるといえる。
（ク）引用発明において、「機能部」を実現する「CPU５１」は、「タッチパネル７２から供給されてくるデータ（ユーザにより押されたタッチパネル式ディスプレイ１１上の位置を表すデータ）に基づいて表示部７１に表示されるキーの表示を制御し」、例えば、「キー２１−１には「あ」行の文字が割り当てられ」、「キー２１−１を押したとき、キー２１−６乃至２１−１０に「あ」行の文字である「あ」、「い」、「う」、「え」、「お」が割り当てられるように、１つのキーを押したとき、それぞれのキーに割り当てられる文字が切り替わる」ものである。
　このことから、引用発明の「機能部」を実現する「CPU５１」は、前記「キー２１−１乃至２１−５の５つのキー」のいずれかのキーへの接触を検知すると、接触を検知した前記キーに対応付けられた前記「キー２１−６乃至２１−１０の５つのキー」のそれぞれに紐付けられた少なくとも１つの文字（「あ」、「い」、「う」、「え」、「お」等）を前記「キー２１−６乃至２１−１０の５つのキーが対応付けられた領域」に表示させる処理を実行しているといえる。
　そうしてみると、引用発明の「CPU５１」と本件補正発明の「コントローラ」は、「前記第１キーへの接触を検知すると、接触を検知した前記第１キーに対応付けられた前記第２キーのそれぞれに紐付けられた少なくとも１つの文字を前記第２キー領域に表示させる」点で共通する。
（ケ）引用発明の「携帯情報端末１」は、後述する相違点を除き、本件補正発明の「電子機器」に対応するといえる。
　以上のことから、本件補正発明と引用発明との一致点及び相違点は、次のとおりである。
（一致点）
「複数の第１キーが対応付けられた第１キー領域と複数の第２キーが対応付けられた第２キー領域とを含むタッチスクリーンと、
　前記タッチスクリーンの前記第１キー領域と前記第２キー領域で検出したキーに対する操作に基づいて文字入力処理を実行するコントローラと、
　前記タッチスクリーンに積層され、前記第１キー領域と重なる領域に前記第１キーを表示し、前記第２キー領域と重なる領域に前記第２キーを表示するディスプレイと、
を備え、
　前記第１キー領域は、前記タッチスクリーンの第１の縁に沿った領域であり、
　複数の前記第１キーは、前記第１の縁に指を沿わせて動かすときの位置に並び、
　前記第２キー領域は、前記タッチスクリーンの前記第１の縁とは異なる第２の縁に沿った領域であり、
　複数の前記第２キーは、前記第２の縁に指を沿わせて動かすときの位置に並び、
　前記第１キーは、少なくとも１つの第２キーが紐付けられており、
　前記コントローラは、前記第１キーへの接触を検知すると、接触を検知した前記第１キーに対応付けられた前記第２キーのそれぞれに紐付けられた少なくとも１つの文字を前記第２キー領域に表示させる電子機器。」
　
（相違点）
　本件補正発明では、前記第１キーへの接触を検知すると、「前記第１キー領域に前記第１キーを表示させた状態で」、接触を検知した前記第１キーに対応付けられた前記第２キーのそれぞれに紐付けられた少なくとも１つの文字を「前記第２キー領域に表示させる」のに対し、引用発明では、「１つのキーを押したとき、それぞれのキーに割り当てられる文字が切り替わる」ものであり、例えば、「ユーザがキー２１−２を左手の親指で押したとき（「か」行を選択したとき）」、「キー２１−１乃至２１−５には、「が」、「ぎ」、「ぐ」、「げ」、「ご」の文字が割り当てられ、キー２１−６乃至２１−１０には、「か」、「き」、「く」、「け」、「こ」の文字がそれぞれ割り当てられ」るように、「キー２１−１乃至２１−５」に割り当てられる文字が切り替わるものである点。
（４）判断
　上記相違点について検討する。
　上記（２）イ（ウ）に示したように、「文字入力画面の左側領域に「あ行」ボタン、「か行」ボタン・・・、「は行」ボタンなどの上位のボタンが列をなして表示されている状態において、例えば、「は行」ボタンが選択された場合に、前記左側領域の「あ行」ボタン、「か行」ボタン・・・、「は行」ボタンなどを表示させた状態で、選択された「は行」ボタンに対応付けられた下位のボタンに紐付けられた「は行」の文字である「は」、「ひ」、「ふ」、「へ」、「ほ」といった文字を文字入力画面の右側領域に列をなして表示させる表示制御手段」は、本願出願日前において周知な技術であったと認められる。
　そして、引用発明のような情報端末に採用される表示入力画面について、ユーザの操作性等を検討して最良な入力環境を提供するような設計変更を試みることは、特段の技術的な阻害要因がない限り、当業者が通常の創作活動の範囲内で成し得ることであるところ、引用発明に上記周知技術を適用することを妨げるような技術的な阻害要因は見当たらない。
　してみれば、引用発明に上記周知技術を適用して、「「あ」行の文字」、「「か」行の文字」、「「さ」行の文字」、「「た」行の文字」、「「な」行の文字」が割り当てられたキー２１−１乃至２１−５の内のキー２１−２を左手の親指で押したとき（「か」行を選択したとき）、キー２１−１乃至２１−５は、「「あ」行の文字」」、「「か」行の文字」、「「さ」行の文字」、「「た」行の文字」、「「な」行の文字」が割り当てられた状態のままで、「「か」、「き」、「く」、「け」、「こ」の文字」が割り当てられたキー２１−６乃至２１−１０の５つのキーが縁１１Ａに対向する縁１１Ｂに沿って配列されるようにする、すなわち、本件補正発明に係る相違点の構成とすることは、当業者が容易に成し得たことである。
　そして、相違点を勘案してみても、本件補正発明の奏する作用効果は、引用発明及び周知技術の奏する作用効果から、予測される範囲内のものにすぎず、格別顕著なものということはできない。
　したがって、本件補正発明は、引用発明及び周知技術に基づき当業者が容易に発明をすることができたものであり、特許法第２９条第２項の規定により、特許出願の際独立して特許を受けることができないものである。
３　本件補正についてのむすび
　以上のとおり、本件補正は，特許法１７条の２第６項で準用する同法１２６条第７項の規定に違反するので、同法１５９条第１項の規定において読み替えて準用する同法５３条第１項の規定により却下すべきものである。
　よって、上記補正の却下の決定の結論のとおり決定する。　
第３　本願発明について
１　本願発明
　令和元年１１月２０日付け手続補正は、上記のとおり却下されたので、本願の請求項１ないし２３に係る発明は、令和元年８月２日付けの手続補正により補正された特許請求の範囲の請求項１ないし２３に記載された事項により特定されるものと認められるところ、その請求項１に係る発明（以下、「本願発明」という。）は、前記第２［理由］１（２）に記載のとおりのものである。
２　原査定の拒絶の理由
　原査定の理由は、以下のとおりである。
理由１（新規性）この出願の下記の請求項に係る発明は、その出願前に日本国内又は外国において、頒布された下記の刊行物に記載された発明であるから、特許法第２９条第１項第３号の規定により特許を受けることができない。
理由２（進歩性）この出願の下記の請求項に係る発明は、その出願前に日本国内又は外国において、頒布された下記の刊行物に記載された発明に基いて、その出願前にその発明の属する技術の分野における通常の知識を有する者が容易に発明をすることができたものであるから、特許法第２９条第２項の規定により特許を受けることができない。
　　　　　記　　　（引用文献等については引用文献等一覧参照）
●理由１（新規性）、理由２（進歩性）
・請求項１−７、９−１３、１５及び２１−２３
・引用文献等　１
●理由２（進歩性）
・請求項８
・引用文献等　１−２
・請求項１４
・引用文献等　１及び３
・請求項１６及び１９−２０
・引用文献等　１
・請求項１７−１８
・引用文献等　１及び４
　　　　　　　　　　　＜引用文献等一覧＞
　１．特開２００６−１４８５３６号公報
　２．特開２０１２−１１３６８５号公報
　３．特開２００３−２７１２９４号公報
　４．特開２０１５−２１９５４３号公報
３　引用文献
　原査定の拒絶の理由で引用された引用文献及びその記載事項は、前記第２の［理由］２（２）（ア）に記載したとおりである。
４　対比・判断
　本願発明は、前記第２の［理由］２で検討した本件補正発明の発明を特定するために必要な事項である「タッチスクリーン」について、「タッチスクリーンに積層され、前記第１キー領域と重なる領域に前記第１キーを表示し、前記第２キー領域と重なる領域に前記第２キーを表示するディスプレイ」の限定を削除し、「複数の第１キー」について、「前記第１キーは、少なくとも１つの第２キーが紐付けられており」という限定を削除し、「コントローラ」について「前記コントローラは、前記第１キーへの接触を検知すると、前記第１キー領域に前記第１キーを表示させた状態で、接触を検知した前記第１キーに対応付けられた前記第２キーのそれぞれに紐付けられた少なくとも１つの文字を前記第２キー領域に表示させる」という限定を削除するものである。
　本願発明と引用発明を対比すると、本願発明と引用発明とは、次の点で一致する。
（一致点）
「複数の第１キーが対応付けられた第１キー領域と複数の第２キーが対応付けられた第２キー領域とを含むタッチスクリーンと、
　前記タッチスクリーンの前記第１キー領域と前記第２キー領域で検出したキーに対する操作に基づいて文字入力処理を実行するコントローラと、
を備え、
　前記第１キー領域は、前記タッチスクリーンの第１の縁に沿った領域であり、
　複数の前記第１キーは、前記第１の縁に指を沿わせて動かすときの位置に並び、
　前記第２キー領域は、前記タッチスクリーンの前記第１の縁とは異なる第２の縁に沿った領域であり、
　複数の前記第２キーは、前記第２の縁に指を沿わせて動かすときの位置に並ぶ電子機器。」
　そうしてみると、本願発明と引用発明との間に相違点は認められない。
　また、本願発明は、表現上の差違を考慮したとしても引用発明から容易になし得たものと認められる。
　そうすると、本願発明は、引用文献１に記載された発明であるから、特許法第２９条第１項第３号の規定により特許を受けることができない。
　また、本願発明は、引用文献１に記載された発明に基いて、当業者が容易に発明をすることができたものであるから、特許法第２９条第２項の規定により特許を受けることができない。
　　　　　　
第４　むすび
　以上のとおり、本願発明は、特許法第２９条第１項第３号の規定により特許を受けることができない、また、本願発明は、特許法第２９条第２項の規定により特許を受けることができないから、他の請求項に係る発明ついて検討するまでもなく、本願は拒絶されるべきものである。
　
　よって、結論のとおり審決する。